(57)【要約】【課題】マルチネットワークを支援する無線通信システムにおける異種網間ハンドオーバ（Vertical Handover）装置及び方法を提供する。【解決手段】異種網間ハンドオーバ制御部は、適応ネットワーク部を介して情報サービスサーバから取得した隣の網の情報を用いて、ハンドオーバするためのターゲット網を選択する過程と、前記ターゲット網がサービング網とは異なる場合、前記異種網間ハンドオーバ制御部は、前記適応ネットワーク部を介して前記ターゲット網と通信を行うターゲット網インタフェースにターゲット網の情報収集を要請する過程と、前記ターゲット網インタフェースは、前記情報収集の要請に応じて収集した前記ターゲット網情報を前記適応ネットワーク部を介して前記異種網間ハンドオーバ制御部に伝送する過程と、前記異種網間ハンドオーバ制御部は、前記ターゲット網情報を用いてターゲット基地局を決定する過程と、を含む。【選択図】図4A
2008104192.tif 000002
【特許請求の範囲】
【請求項１】
無線通信システムの端末における異種網間ハンドオーバ（Vertical Handover）方法であって、
異種網間ハンドオーバ制御部は、適応ネットワーク部を介して情報サービスサーバから取得した隣の網の情報を用いて、ハンドオーバするためのターゲット網を選択する過程と、
前記ターゲット網がサービング網（serving network）とは異なる場合、前記異種網間ハンドオーバ制御部は、前記適応ネットワーク部を介して前記ターゲット網（target network）と通信を行うターゲット網インタフェースにターゲット網の情報収集を要請する過程と、
前記ターゲット網インタフェースは、前記情報収集の要請に応じて収集した前記ターゲット網情報を前記適応ネットワーク部を介して前記異種網間ハンドオーバ制御部に伝送する過程と、
前記異種網間ハンドオーバ制御部は、前記ターゲット網情報を用いてターゲット基地局を決定する過程と、を含むことを特徴とする無線通信システムの端末における異種網間ハンドオーバ方法。
【請求項２】
前記サービング網と通信を行うサービング網インタフェースは、物理階層でリンク変更イベントが発生すると、前記適応ネットワーク部を介して前記異種網間ハンドオーバ制御部に隣の網の情報を要求する過程をさらに含み、
前記異種網間ハンドオーバ制御部は、前記サービング網インタフェースから隣の網の情報を要求された場合、前記適応ネットワーク部を介して前記情報サービスサーバから前記隣の網の情報を取得する過程に進むことを特徴とする請求項１に記載の無線通信システムの端末における異種網間ハンドオーバ方法。
【請求項３】
前記ターゲット網を選択する過程は、
前記異種網間ハンドオーバ制御部は、前記適応ネットワーク部に隣の網の情報を要求する過程と、
前記適応ネットワーク部は、前記異種網間ハンドオーバ制御部から隣の網の情報を要求された場合、前記情報サービスサーバから隣の網の情報を取得して、前記ハンドオーバ制御部に伝送する過程と、
サービング網インタフェースは、サービング網から受信される信号の強度が基準値より低い場合、前記適応ネットワーク部を介して前記異種網間ハンドオーバ制御部にハンドオーバを要請する過程と、
前記異種網間ハンドオーバ制御部は、前記ハンドオーバ要請に応じて、前記隣の網の情報を用いてハンドオーバするためのターゲット網を選択する過程と、を含むことを特徴とする請求項１に記載の無線通信システムの端末における異種網間ハンドオーバ方法。
【請求項４】
前記ターゲット基地局を決定した後、前記異種網間ハンドオーバ制御部は、前記適応ネットワーク部に前記ターゲット基地局とのリンク連結（Link up）を要請する過程と、
前記適応ネットワーク部は、前記リンク連結要請に応じて、前記ターゲット網インタフェースを介して前記ターゲット基地局とのリンクを連結する過程と、
前記適応ネットワーク部は、前記ターゲット基地局とのリンクが連結されると、前記ターゲット基地局と通信するためのＩＰアドレスを割り当てられ、前記ターゲット基地局に前記ＩＰアドレス登録及びバインディング更新を行う過程と、
前記ターゲット網インタフェースは、前記アドレス登録及びバインディング更新が完了すると、前記ターゲット基地局からトラフィックを提供される過程と、をさらに含むことを特徴とする請求項１に記載の無線通信システムの端末における異種網間ハンドオーバ方法。
【請求項５】
無線通信システムの無線ランから広帯域移動通信網に異種網間ハンドオーバ（VerticalHandover）するための端末の動作方法であって、
異種網間ハンドオーバ制御部は、適応ネットワーク部を介して情報サービスサーバから取得した隣の網の情報を用いて、ハンドオーバするためのターゲット網を選択する過程と、
前記ターゲット網が広帯域移動通信網である場合、前記異種網間ハンドオーバ制御部は、前記適応ネットワーク部を介して前記広帯域移動通信網と通信を行う第１インタフェースに前記広帯域移動通信網の情報収集を要請する過程と、
前記第１インタフェースは、前記広帯域移動通信網の情報収集の要請に応じて収集した前記ターゲット網である広帯域移動通信網の情報を、前記適応ネットワーク部を介して前記異種網間ハンドオーバ制御部に伝送する過程と、
前記異種網間ハンドオーバ制御部は、前記広帯域移動通信網の情報を用いてターゲット基地局を決定する過程と、を含むことを特徴とする無線通信システムの無線ランから広帯域移動通信網に異種網間ハンドオーバするための端末の動作方法。
【請求項６】
前記無線ランと通信を行う第２インタフェースは、物理階層でリンク変更イベントが発生すると、前記適応ネットワーク部を介して前記異種網間ハンドオーバ制御部に隣の網の情報を要求する過程をさらに含み、
前記異種網間ハンドオーバ制御部は、前記第２インタフェースから隣の網の情報を要求された場合、前記適応ネットワーク部を介して前記情報サービスサーバから前記隣の網の情報を取得する過程に進むことを特徴とする請求項５に記載の無線通信システムの無線ランから広帯域移動通信網に異種網間ハンドオーバするための端末の動作方法。
【請求項７】
前記ターゲット網を選択する過程は、
前記異種網間ハンドオーバ制御部は、前記適応ネットワーク部に隣の網の情報を要求する過程と、
前記適応ネットワーク部は、前記異種網間ハンドオーバ制御部から隣の網の情報を要求された場合、前記情報サービスサーバから隣の網の情報を取得して、前記異種網間ハンドオーバ制御部に伝送する過程と、
前記無線ランと通信する第２インタフェースは、前記無線ランから受信される信号の強度が基準値より低い場合、前記適応ネットワーク部を介して前記異種網間ハンドオーバ制御部にハンドオーバを要請する過程と、
前記異種網間ハンドオーバ制御部は、前記ハンドオーバ要請に応じて、前記隣の網の情報を用いてハンドオーバするためのターゲット網を選択する過程と、を含むことを特徴とする請求項５に記載の無線通信システムの無線ランから広帯域移動通信網に異種網間ハンドオーバするための端末の動作方法。
【請求項８】
前記ターゲット基地局を決定した後、前記異種網間ハンドオーバ制御部は、前記適応ネットワーク部に前記ターゲット基地局とのリンク連結（Link up）を要請する過程と、
前記適応ネットワーク部は、前記リンク連結要請に応じて、前記第１インタフェースを介して前記ターゲット基地局とのリンク連結を行う過程と、
前記適応ネットワーク部は、前記ターゲット基地局とのリンクが連結されると、前記ターゲット基地局と通信するためのＩＰアドレスを割り当てられ、前記ターゲット基地局に前記ＩＰアドレス登録及びバインディング更新を行う過程と、
前記第１インタフェースは、前記アドレス登録及びバインディング更新が完了すると、前記ターゲット基地局からトラフィックを提供される過程と、をさらに含むことを特徴とする請求項５に記載の無線通信システムの無線ランから広帯域移動通信網に異種網間ハンドオーバするための端末の動作方法。
【請求項９】
前記リンク連結過程は、
前記適応ネットワーク部は、前記第１インタフェースに共用リンク連結要請信号を伝送する過程と、
前記第１インタフェースは、前記共用リンク連結要請信号が受信されると、前記ターゲット基地局とのリンクを連結する過程と、
前記第１インタフェースは、前記ターゲット基地局とのリンクが連結されると、前記適応ネットワーク部に共用リンク連結応答信号を伝送する過程と、を含むことを特徴とする請求項８に記載の無線通信システムの無線ランから広帯域移動通信網に異種網間ハンドオーバするための端末の動作方法。
【請求項１０】
前記共用リンク連結要請信号と共用リンク連結応答信号は、サービング網とターゲット網が共通に使用できるように定義されていることを特徴とする請求項９に記載の無線通信システムの無線ランから広帯域移動通信網に異種網間ハンドオーバするための端末の動作方法。
【請求項１１】
前記リンク連結過程は、
前記適応ネットワーク部は、前記リンク連結要請に応じて、前記第１インタフェースにレンジング要請信号を伝送する過程と、
前記第１インタフェースは、前記適応ネットワーク部からのレンジング要請信号が受信されると、前記ターゲット基地局にレンジングを行った後、前記適応ネットワーク部にレンジング完了信号を伝送する過程と、
前記第１インタフェースは、前記レンジング完了信号を伝送した後、前記ターゲット基地局と基本機能の交渉（Service Basic Capability）及び認証手順を行う過程と、
前記第１インタフェースは、前記適応ネットワーク部から登録要請信号が受信されると、前記ターゲット基地局に登録手順を行った後、前記適応ネットワーク部に登録完了信号を伝送する過程と、を含むことを特徴とする請求項８に記載の無線通信システムの無線ランから広帯域移動通信網に異種網間ハンドオーバするための端末の動作方法。
【請求項１２】
無線通信システムの広帯域移動通信網から無線ランに異種網間ハンドオーバ（Vertical Handover）するための端末の動作方法であって、
異種網間ハンドオーバ制御部は、適応ネットワーク部を介して情報サービスサーバから取得した隣の網の情報を用いて、ハンドオーバするためのターゲット網を選択する過程と、
前記ターゲット網が無線ランである場合、前記異種網間ハンドオーバ制御部は、前記適応ネットワーク部を介して前記無線ランと通信を行う第１インタフェースに前記無線ランの情報収集を要請する過程と、
前記第１インタフェースは、前記情報の収集要請に応じて収集した前記ターゲット網である無線ランの情報を、前記適応ネットワーク部を介して前記異種網間ハンドオーバ制御部に伝送する過程と、
前記異種網間ハンドオーバ制御部は、前記無線ランの情報を用いてターゲット基地局を決定する過程と、を含むことを特徴とする無線通信システムの広帯域移動通信網から無線ランに異種網間ハンドオーバするための端末の動作方法。
【請求項１３】
前記広帯域移動通信網と通信するための第２インタフェースは、物理階層でリンク変更イベントが発生すると、前記適応ネットワーク部を介して前記異種網間ハンドオーバ制御部に隣の網の情報を要求する過程をさらに含み、
前記異種網間ハンドオーバ制御部は、前記第２インタフェースから隣の網の情報を要求された場合、前記適応ネットワーク部を介して前記情報サービスサーバから前記隣の網の情報を取得する過程に進むことを特徴とする請求項１２に記載の無線通信システムの広帯域移動通信網から無線ランに異種網間ハンドオーバするための端末の動作方法。
【請求項１４】
前記ターゲット網を選択する過程は、
前記異種網間ハンドオーバ制御部は、前記適応ネットワーク部に隣の網の情報を要求する過程と、
前記適応ネットワーク部は、前記異種網間ハンドオーバ制御部から隣の網の情報を要求された場合、前記情報サービスサーバから隣の網の情報を取得して、前記異種網間ハンドオーバ制御部に伝送する過程と、
前記広帯域移動通信網と通信する第２インタフェースは、前記広帯域移動通信網から受信される信号の強度が基準値より低い場合、前記適応ネットワーク部を介して前記異種網間ハンドオーバ制御部にハンドオーバを要請する過程と、
前記異種網間ハンドオーバ制御部は、前記ハンドオーバ要請に応じて前記隣の網の情報を用いてハンドオーバするためのターゲット網を選択する過程と、を含むことを特徴とする請求項１２に記載の無線通信システムの広帯域移動通信網から無線ランに異種網間ハンドオーバするための端末の動作方法。
【請求項１５】
前記ターゲット基地局を決定した後、前記異種網間ハンドオーバ制御部は、前記適応ネットワーク部に前記ターゲット基地局とのリンク連結（Link up）を要請する過程と、
前記適応ネットワーク部は、前記リンク連結要請信号に応じて前記第１インタフェースを介して前記ターゲット基地局とのリンクを連結する過程と、
前記適応ネットワーク部は、前記ターゲット基地局とのリンクが連結されると、前記ターゲット基地局と通信するためのＩＰアドレスを割り当てられ、前記ターゲット基地局に前記ＩＰアドレス登録及びバインディング更新を行う過程と、
前記第１インタフェースは、前記ＩＰアドレス登録及びバインディング更新が完了すると、前記ターゲット基地局からトラフィックを提供される過程と、をさらに含むことを特徴とする請求項１２に記載の無線通信システムの広帯域移動通信網から無線ランに異種網間ハンドオーバするための端末の動作方法。
【請求項１６】
前記リンク連結過程は、
前記適応ネットワーク部は、前記第１インタフェースに共用リンク連結要請信号を伝送する過程と、
前記第１インタフェースは、前記共用リンク連結要請信号が受信されると、前記ターゲット基地局とのリンクを連結する過程と、
前記第１インタフェースは、前記ターゲット基地局とのリンクが連結されると、前記適応ネットワーク部に共用リンク連結応答信号を伝送する過程と、を含むことを特徴とする請求項１５に記載の無線通信システムの広帯域移動通信網から無線ランに異種網間ハンドオーバするための端末の動作方法。
【請求項１７】
前記共用リンク連結要請信号と共用リンク連結応答信号は、サービング網とターゲット網が共通に使用できるように定義されていることを特徴とする請求項１６に記載の無線通信システムの広帯域移動通信網から無線ランに異種網間ハンドオーバするための端末の動作方法。
【請求項１８】
前記リンク連結過程は、
前記適応ネットワーク部は、前記リンク連結要請に応じて、前記第１インタフェースに認証要請信号を伝送する過程と、
前記第１インタフェースは、前記適応ネットワーク部からの認証要請信号が受信されると、前記ターゲット基地局との認証手順を行った後、前記適応ネットワーク部に認証完了信号を伝送する過程と、
前記適応ネットワーク部は、前記認証完了信号が受信されると、前記第１インタフェースに登録要請信号を伝送する過程と、
前記第１インタフェースは、前記登録要請信号が受信されると、前記ターゲット基地局との登録手順を行った後、前記適応ネットワーク部に登録完了信号を伝送する過程と、を含むことを特徴とする請求項１５に記載の無線通信システムの広帯域移動通信網から無線ランに異種網間ハンドオーバするための端末の動作方法。
【請求項１９】
マルチネットワークを支援する無線通信システムにおける端末装置であって、
サービング網と通信を行い、物理階層でリンク変更イベントが発生すると、適応ネットワーク部に隣の網の情報要請信号を伝送する第１ＭＡＣ（Media Access Control）階層部と、
前記サービング網を除いた他の網と通信するための少なくとも一つの第２ＭＡＣ階層部と、
前記第１ＭＡＣ階層部と第２ＭＡＣ階層部から提供された信号を媒体独立的信号処理のための規定されたフォーマットに転換して、異種網間ハンドオーバ制御部に伝送する適応ネットワーク部と、
前記適応ネットワーク部から前記隣の網の情報要請信号が受信されると、前記隣の網の情報を取得するように制御する異種網間ハンドオーバ制御部と、を含むことを特徴とするマルチネットワークを支援する無線通信システムにおける端末装置。
【請求項２０】
前記異種網間ハンドオーバ制御部は、前記隣の網の情報要請信号が受信されると、前記隣の網の情報を取得するために、前記適応ネットワーク部に隣の網の情報要請信号を伝送し、
前記適応ネットワーク部は、前記隣の網の情報要請信号が受信されると、情報サービスサーバから前記端末の隣の網の情報を取得して、前記異種網間ハンドオーバ制御部に伝送し、
前記異種網間ハンドオーバ制御部は、前記隣の網の情報を用いてハンドオーバするためのターゲット網を選択することを特徴とする請求項１９に記載のマルチネットワークを支援する無線通信システムにおける端末装置。
【請求項２１】
前記第１ＭＡＣ階層部は、前記異種網間ハンドオーバ制御部がターゲット網を選択した後、サービング網から受信される信号の強度が基準値より低い場合、前記適応ネットワーク部を介して前記異種網間ハンドオーバ制御部にハンドオーバ要請信号を伝送し、
前記異種網間ハンドオーバ制御部は、前記ハンドオーバ要請信号が受信されると、前記適応ネットワーク部を介して前記第２ＭＡＣ階層部のうちの前記ターゲット網と通信を行うターゲット網ＭＡＣ階層部にターゲット網の情報収集要請信号を伝送し、
前記ターゲット網ＭＡＣ階層部は、前記ターゲット網の情報収集要請信号が受信されると、前記ターゲット網情報を収集して、前記適応ネットワーク部を介して前記異種網間ハンドオーバ制御部に伝送することを特徴とする請求項２０に記載のマルチネットワークを支援する無線通信システムにおける端末装置。
【請求項２２】
前記異種網間ハンドオーバ制御部は、前記ターゲット網情報が受信されると、ハンドオーバを行うターゲット基地局を選択し、前記適応ネットワーク部に前記ターゲット基地局とのリンク連結（Link up）要請信号を伝送し、
前記適応ネットワーク部は、前記リンク連結要請信号が受信されると、前記ターゲット網ＭＡＣ階層部にリンク連結要請信号を伝送し、
前記ターゲット網ＭＡＣ階層部は、前記リンク連結要請信号が受信されると、前記ターゲット基地局とのリンク連結手順を行った後、リンク連結完了信号を前記適応ネットワーク部に伝送することを特徴とする請求項２１に記載のマルチネットワークを支援する無線通信システムにおける端末装置。
【請求項２３】
前記適応ネットワーク部は、前記リンク連結完了信号が受信されると、前記ターゲット基地局との通信のためのＩＰアドレスを割り当てられ、前記ターゲット基地局に前記ＩＰアドレス登録及びバインディング更新手順を行い、
前記ターゲット網ＭＡＣ階層部は、前記ＩＰアドレス登録及びバインディング更新手順が終わると、前記ターゲット基地局からトラフィックを提供されることを特徴とする請求項２２に記載のマルチネットワークを支援する無線通信システムにおける端末装置。
【請求項２４】
前記第１ＭＡＣ階層部と第２ＭＡＣ階層部は、それぞれのＭＡＣ階層部が通信を行う網に規格化した信号を用いて前記適応ネットワーク部と信号を送受信するか、または、それぞれのＭＡＣ階層部に共用可能に定義された信号を用いて前記適応ネットワーク部と信号を送受信することを特徴とする請求項２３に記載のマルチネットワークを支援する無線通信システムにおける端末装置。
【請求項２５】
前記共用可能に定義された信号は、ターゲット網情報収集要請／応答信号と、リンク連結要請／応答信号を含むことを特徴とする請求項２４に記載のマルチネットワークを支援する無線通信システムにおける端末装置。
【発明の詳細な説明】
【技術分野】
【０００１】
本発明は、無線通信システムでハンドオーバ（handover）を行うための装置及び方法に関し、特に、マルチネットワーク（multi-network）を支援する無線通信システムで異種網間ハンドオーバ（vertical handover）を行うための装置及び方法に関する。
【背景技術】
【０００２】
近年、無線通信システムでは、マルチメディアサービスへの関心が増加するにつれ、データの伝送速度を高めるための第４世代通信システムに対する研究が進んでいる。例えば、第４世代技術には、ＩＥＥＥ（Institute of Electrical and Electronics Engineers）８０２．１１グループの無線ラン（ＷＬＡＮ：Wireless Local Area Network）、ＩＥＥＥ８０２．１６グループの無線ＭＡＮ（Wireless Metropolitan Area Network）などがある。
【０００３】
無線ラン通信技術は、ＩＥＥＥ８０２．１１標準に基づいて有線ランの拡張のために、屋内、都心のような、多数の人が集まる限定された地域で停止状態のユーザに高速の通信サービスを提供するために開発された近距離通信技術である。無線ラン通信技術を支援するネットワーク（以下、「無線ラン網」とする）は、サービス領域内のユーザに数十Ｍｂｐｓから数百Ｍｂｐｓまでのデータ伝送速度を支援する。しかし、無線ラン網はユーザの移動性は保障せず、サービス領域が狭い。
【０００４】
無線ＭＡＮ通信技術は、ＩＥＥＥ８０２．１６標準に基づいて停止、歩行及び中速（最大時速６０ｋｍ／ｈ）の移動中にもデータサービスを支援する通信技術である。ＭＡＮ通信技術を支援するネットワーク（以下、「無線ＭＡＮ網」とする）は、平均数十Ｍｂｐｓのデータ伝送速度を支援する。また、無線ＭＡＮ網はユーザの移動性を保障し、広いサービス領域を有する。
【０００５】
上述のように、無線ＭＡＮ網は、無線ラン網に比べてサービス領域が広くてユーザの移動性を保障するが、データ伝送速度が遅い。反面、無線ラン網は、無線ＭＡＮ網に比べて伝送速度が速いが、サービス領域が狭くてユーザの移動性を保障しない。すなわち、マルチネットワークを支援する無線通信システムで支援されるネットワークは、互いに異なる長所及び短所を有するので、ユーザが求めるサービス種類に応じて該当ネットワークを介してユーザにサービスを支援する。
【０００６】
従って、無線通信システムは、ユーザが求めるサービス種類に応じて適切なネットワークを選択して、そのユーザにサービスを支援するために、ネットワーク間の円滑な連動を必要とする。すなわち、無線通信システムは、互いに異なる種類の網間またはメディア間に絶え間ないハンドオーバを支援する必要がある。
【特許文献１】韓国特許公開第２００６−００５７６３８号明細書
【発明の開示】
【発明が解決しようとする課題】
【０００７】
本発明は、上述の問題点に鑑みてなされたもので、その目的は、マルチネットワークを支援する無線通信システムで異種網間ハンドオーバを行うための装置及び方法を提供することにある。
【０００８】
本発明の他の目的は、マルチネットワークを支援する無線通信システムで異種網間ハンドオーバを行う際に、シグナル（Signal）オーバヘッドを減らすための装置及び方法を提供することにある。
【課題を解決するための手段】
【０００９】
上記目的を達成すべく、本発明の無線通信システムの端末における異種網間ハンドオーバ（Vertical Handover）方法は、異種網間ハンドオーバ制御部は、適応ネットワーク部を介して情報サービスサーバから取得した隣の網の情報を用いて、ハンドオーバするためのターゲット網を選択する過程と、前記ターゲット網がサービング網（serving network）とは異なる場合、前記異種網間ハンドオーバ制御部は、前記適応ネットワーク部を介して前記ターゲット網（target network）と通信を行うターゲット網インタフェースにターゲット網の情報収集を要請する過程と、前記ターゲット網インタフェースは、前記情報収集の要請に応じて収集した前記ターゲット網情報を前記適応ネットワーク部を介して前記異種網間ハンドオーバ制御部に伝送する過程と、前記異種網間ハンドオーバ制御部は、前記ターゲット網情報を用いてターゲット基地局を決定する過程と、を含むことを特徴とする。
【００１０】
また、上記目的を達成すべく、本発明の無線通信システムの無線ランから広帯域移動通信網に異種網間ハンドオーバ（VerticalHandover）するための端末の動作方法は、異種網間ハンドオーバ制御部は、適応ネットワーク部を介して情報サービスサーバから取得した隣の網の情報を用いて、ハンドオーバするためのターゲット網を選択する過程と、前記ターゲット網が広帯域移動通信網である場合、前記異種網間ハンドオーバ制御部は、前記適応ネットワーク部を介して前記広帯域移動通信網と通信を行う第１インタフェースに前記広帯域移動通信網の情報収集を要請する過程と、前記第１インタフェースは、前記広帯域移動通信網の情報収集の要請に応じて収集した前記ターゲット網である広帯域移動通信網の情報を、前記適応ネットワーク部を介して前記異種網間ハンドオーバ制御部に伝送する過程と、前記異種網間ハンドオーバ制御部は、前記広帯域移動通信網の情報を用いてターゲット基地局を決定する過程と、を含むことを特徴とする。
【００１１】
また、上記目的を達成すべく、本発明の無線通信システムの広帯域移動通信網から無線ランに異種網間ハンドオーバ（Vertical Handover）するための端末の動作方法は、異種網間ハンドオーバ制御部は、適応ネットワーク部を介して情報サービスサーバから取得した隣の網の情報を用いて、ハンドオーバするためのターゲット網を選択する過程と、前記ターゲット網が無線ランである場合、前記異種網間ハンドオーバ制御部は、前記適応ネットワーク部を介して前記無線ランと通信を行う第１インタフェースに前記無線ランの情報収集を要請する過程と、前記第１インタフェースは、前記情報の収集要請に応じて収集した前記ターゲット網である無線ランの情報を、前記適応ネットワーク部を介して前記異種網間ハンドオーバ制御部に伝送する過程と、前記異種網間ハンドオーバ制御部は、前記無線ランの情報を用いてターゲット基地局を決定する過程と、を含むことを特徴とする。
【００１２】
また、上記目的を達成すべく、本発明のマルチネットワークを支援する無線通信システムにおける端末装置は、サービング網と通信を行い、物理階層でリンク変更イベントが発生すると、適応ネットワーク部に隣の網の情報要請信号を伝送する第１ＭＡＣ（Media Access Control）階層部と、前記サービング網を除いた他の網と通信するための少なくとも一つの第２ＭＡＣ階層部と、前記第１ＭＡＣ階層部と第２ＭＡＣ階層部から提供された信号を媒体独立的信号処理のための規定されたフォーマットに転換して、異種網間ハンドオーバ制御部に伝送する適応ネットワーク部と、前記適応ネットワーク部から前記隣の網の情報要請信号が受信されると、前記隣の網の情報を取得するように制御する異種網間ハンドオーバ制御部と、を含むことを特徴とする。
【発明の効果】
【００１３】
本発明によれば、マルチネットワークを支援する無線通信システムで異種網間ハンドオーバを行うことで、端末が異種網間にサービスの途切れないハンドオーバを行い、共用媒体依存サービスアクセスポイント（Media Dependent Service Access Point）を用いて、異種網間ハンドオーバ手順を単純化することができるという長所がある。
【発明を実施するための最良の形態】
【００１４】
以下、本発明の好ましい実施の形態を、添付図面を参照しながら詳細に説明する。そして、本発明を説明するにおいて、関連した公知機能又は構成に対する具体的な説明が本発明の要旨を不明瞭にすると判断される場合には、その詳細な説明を省略する。
【００１５】
以下、マルチネットワークを支援する無線通信システムで異種網間ハンドオーバの手順について説明する。以下の説明では、前記無線通信システムにおける無線ラン網（ＷＬＡＮ：Wireless Local Area Network）と広帯域移動通信網（broadband mobile network）（例えばＩＥＥＥ８０２．１６システム）間の異種網間ハンドオーバを例に挙げて説明する。しかし、前記無線通信システムは、これに限定されることなく他のネットワーク間でも同一な方式で異種網間ハンドオーバを行うことができる。
【００１６】
図１は、本実施形態による異種網間ハンドオーバ技術を使用する無線通信システムの構成を示す図である。
【００１７】
図１に示すように、前記無線通信システムは、無線ラン網と広帯域移動通信網のマルチネットワークを支援する。ここで、前記無線ラン網は、ＡＰ（Access Point）１０３を介してサービス領域に位置する端末と通信を行い、前記広帯域移動通信網は、ＲＡＳ（Radio Access Station）１０５を介してサービス領域に位置する端末と通信を行う。ＡＰ１０３とＲＡＳ１０５は、基地局として働く。
【００１８】
従って、端末１０１は、前記無線通信システムに接続して、前記無線ラン網または広帯域移動通信網を介してサービスを提供されることができる。前記端末１０１は、情報サービスサーバ（Information Service Server）１０７から隣のネットワーク（neighboring networks）の情報を取得して、異種網間ハンドオーバを行うことができる。前記情報サービスサーバ１０７は、前記端末１０１が通信中のネットワークだけでなく、隣のネットワークの情報を前記端末１０１に伝送する。
【００１９】
上述のように、前記無線通信システムで異種網間ハンドオーバを提供するためには、前記端末１０１がマルチネットワークを介してサービスを提供される必要がある。従って、前記端末１０１は、図２に示すように、マルチネットワークを支援するための多重無線インタフェースを含む。
【００２０】
図２は、本実施形態による異種網間ハンドオーバを行うための端末のブロック構成を示す図である。
【００２１】
図２に示すように、前記端末は、第１送受信機２０１、第１ＭＡＣ（第１ＭＡＣ階層部）（Media Access Control）２０３、第２送受信機２０５、第２ＭＡＣ（第２ＭＡＣ階層部）２０７及び、適応ネットワーク部（Adaptation Module）２０９、異種網間ハンドオーバ制御部（Vertical Handover Control Module）２１１を含んで構成される。
【００２２】
前記第１送受信機２０１は、無線ラン網を介して送受信される高周波（ＲＦ：Radio Frequency）信号を処理する。前記第１ＭＡＣ２０３は、前記第１送受信機２０１から提供された高周波信号を基底帯域信号に変換して処理する。ここで、前記端末が広帯域移動通信網を介して通信を行う場合、前記第１送受信機２０１と前記第１ＭＡＣ２０３は非活性化する。
【００２３】
前記第２送受信機２０５は、広帯域移動通信網を介して送受信される高周波信号を処理する。前記第２ＭＡＣ２０７は、前記第２送受信機２０５から提供された高周波信号を基底帯域信号に変換して処理する。ここで、前記端末が無線ラン網を介して通信を行う場合、前記第２送受信機２０５と前記第２ＭＡＣ２０７は非活性化する。
【００２４】
前記第１ＭＡＣ２０３および第２ＭＡＣ２０７は、その一方がサービング網（サービスを提供中の網）との通信を行なうサービング網インタフェースとなり、他方がハンドーバのターゲット網との通信を行なうターゲット網インタフェースとなる。
【００２５】
前記適応ネットワーク部２０９と前記ＭＡＣ２０３、２０７の間には、媒体依存サービスアクセスポイント（Media Dependent Service Access Point）が存在する。ここで、前記媒体依存サービスアクセスポイントは、各ＭＡＣタイプによって定義された信号を使用する。例えば、前記無線ランＭＡＣ２０３と前記適応ネットワーク２０９の間には、ＩＥＥＥ８０２．１１標準のＭＬＭＥ  ＳＡＰに定義されたタイプの信号を使用する。また、前記広帯域移動通信網ＭＡＣ２０７と前記適応ネットワーク２０９の間には、ＩＥＥＥ８０２．１６標準のＣ＿ＳＡＰ  Ｐｒｉｍｉｔｉｖｅｓに定義されたタイプの信号を使用する。
【００２６】
従って、前記適応ネットワーク部２０９は、前記ＭＡＣ２０３、２０７から提供される互いに相違するタイプで定義された信号を、前記異種網間ハンドオーバ制御部２１１においてＭＡＣタイプに関係なく受信できるように変換して、前記異種網間ハンドオーバ制御部２１１に伝送する。
【００２７】
また、前記適応ネットワーク部２０９は、前記異種網間ハンドオーバ制御部２１１から提供される信号を、それぞれのＭＡＣタイプに合わせて変換して、該当するＭＡＣ２０３、２０７に伝送する。
【００２８】
前記異種網間ハンドオーバ制御部２１１は、前記適応ネットワーク部２０９から提供される信号に応じて、前記端末の異種網間ハンドオーバを制御する。
【００２９】
以下、前記無線通信システムで異種網間ハンドオーバを行うための端末の動作手順について説明する。以下の説明では、前記無線ラン網と通信を行っている前記端末が前記広帯域移動通信網に異種網間ハンドオーバを行う場合を例に挙げて説明する。ただし、前記端末が前記広帯域移動通信網から前記無線ラン網にハンドオーバを行う場合にも、以下の説明を同一に適用することができる。
【００３０】
図３は、本発明の実施形態による異種網間ハンドオーバを行うための端末の動作手順を示す図である。
【００３１】
図３を参照すると、まず、前記無線ラン網を介してサービスを提供された端末は、ステップ３０１で、物理階層でリンクパラメータ変更イベント（Link Parameter change event）が発生すると、図２の異種網間ハンドオーバ制御部２１１を用いて前記情報サービスサーバから隣のネットワーク（neighboring networks）の情報を取得する。
【００３２】
前記隣のネットワークの情報を取得した後、前記端末はステップ３０３に進んで、前記サービスを提供している無線ラン網からの受信信号の強度を測定する。
【００３３】
次に、前記端末は、ステップ３０５に進んで、測定された受信信号強度を通して、前記無線ラン網のサービス領域を離れようとするのかを確認する。すなわち、前記端末は測定された受信信号強度と既設定の基準値を比較して、前記端末が前記無線ラン網のサービス領域を離れようとするのかを判断する。
【００３４】
前記受信信号強度が前記基準値以上である場合、前記端末は前記無線ラン網のサービス領域を離れないと判断する。従って、前記端末はステップ３０１に戻って、前記無線ラン網を介してサービスを提供される。
【００３５】
一方、前記受信信号強度が前記基準値より小さい場合、前記端末はステップ３０７に進んで、前記無線ラン網のサービス領域を離れようとしていると判断する。従って、前記端末は前記情報サービスサーバから取得した前記隣のネットワークの情報を用いて接続可能な広帯域移動通信網が存在するかを確認する。ここで、前記接続可能な広帯域移動通信網が存在したら、前記端末は当該広帯域通信網にハンドオーバを行うと仮定して説明する。
【００３６】
前記接続可能な広帯域移動通信網が存在する場合、前記端末はステップ３０９に進んで、前記隣のネットワークの情報に含まれる広帯域移動通信網が放送（broadcast）する制御信号を収集する。このとき、前記端末は、前記収集された制御信号を用いて、ハンドオーバするためのターゲット基地局（ターゲットＲＡＳ）を選択する。
【００３７】
前記ターゲット基地局を選択した後、前記端末はステップ３１１に進んで、前記ターゲット基地局とリンクを連結（Link Up）する。例えば、前記端末は、前記ターゲット基地局とレンジング（Ranging）、基本機能交渉（Service Basic Capability）及び登録（Registration）を行う。
【００３８】
前記ターゲット基地局とリンクを連結した後、前記端末はステップ３１３に進んで、ＤＨＣＰ（Dynamic Host Configuraton Protocol）を行って、前記ターゲット基地局と通信を行うための新しいＣｏＡ（Care of Address）を提供される。
【００３９】
前記ターゲット基地局と通信するためのＣｏＡを生成した後、前記端末はステップ３１５に進んで、前記ターゲット基地局に移動ＩＰ登録（Registration）及びバインディング更新（Binding Update）を行う。このとき、前記端末に対するパケットの流れが変わる。
【００４０】
前記ターゲット基地局に登録及びバインディング更新を行った後、前記端末はステップ３１７に進んで、前記ターゲット基地局からトラフィックを受信する。このとき、前記端末は、前記無線ラン網と通信を行う前記第１ＭＡＣ１０３、第１送受信装機１０１を非活性化する。
【００４１】
以降、前記端末は本アルゴリズムを終了する。
【００４２】
以下、前記マルチネットワークを支援する無線通信システムで異種網間ハンドオーバを行うための手順を説明する。以下の説明では、前記無線通信システムでハンドオーバを行うためのネットワークを選択する手順と、前記選択されたネットワークにハンドオーバを行う手順とに分離して説明する。
【００４３】
よって、前記無線ラン網でサービスを提供される端末が、前記広帯域移動通信網にハンドオーバするための手順において、図４は、ハンドオーバを行うためのネットワークを選択する手順を示す。また、図５は、前記選択されたネットワークにハンドオーバを行う手順を示す。
【００４４】
図４Ａは、本発明の実施形態による無線ラン網からハンドオーバを行うための広帯域移動通信網を確認するための手順を示す図である。
【００４５】
図４Ａを参照すると、まず、端末４００は、無線ラン４１１を介してサービスを提供される（ステップ４２１）。すなわち、端末４００は、無線ラン４１１を介してトラフィックを送受信する。このとき、端末４００は、広帯域移動通信網４１５と通信するための広帯域移動通信網ＭＡＣ４０７を非活性化する。
【００４６】
もし、リンクパラメータ変更イベント（Link Parameter change event）が発生すると、無線ランＭＡＣ４０５は適応ネットワーク部４０３にリンクパラメータ変更信号（Link Parameter_change.indication）を伝送する（ステップ４２３）。すなわち、前記リンクパラメータ変更イベントが発生すると、無線ランＭＡＣ４０５は無線ラン４１１との無線リンク状態が良好でないと判断し、適応ネットワーク部４０３にリンクパラメータ変更信号を伝送する。
【００４７】
適応ネットワーク部４０３は、前記リンクパラメータ変更信号が受信されると、異種網間ハンドオーバ制御部４０１に異種網間ハンドオーバリンクパラメータ信号（Link Parameter Report.indication）を伝送する（ステップ４２５）。
【００４８】
異種網間ハンドオーバ制御部４０１は、前記異種網間ハンドオーバリンクパラメータ信号が受信されると、情報サービスサーバ４１３から隣のネットワークの情報を検索するために、適応ネットワーク部４０３に異種網間ハンドオーバ情報要請信号（Get_info.request）を伝送する（ステップ４２７）。
【００４９】
適応ネットワーク部４０３は、前記異種網間ハンドオーバ情報要請信号が受信されると、情報サービスサーバ４１３から端末４００の隣のネットワークの情報を取得する（ステップ４２９）。例えば、適応ネットワーク部４０３は、端末４００の隣のネットワークの情報を取得するために、情報サービスサーバ４１３に異種網間ハンドオーバ情報要請フレーム（Get_information REQUEST FRAME）を伝送する。以降、情報サービスサーバ４１３は、前記異種網間ハンドオーバ情報要請フレームに応じて、端末４００の隣のネットワークの情報を含む異種網間ハンドオーバ情報応答フレーム（Get_information RESPONSE FRAME）を適応ネットワーク部４０３に伝送する。
【００５０】
適応ネットワーク部４０３は、前記取得した端末４００の隣のネットワークの情報を含む異種網間ハンドオーバ情報応答信号（Get_info.response）を、異種網間ハンドオーバ制御部４０１に伝送する（ステップ４３１）。
【００５１】
次に、無線ランＭＡＣ４０５は、無線ラン４１１から受信される信号の強度を測定して、端末４００が無線ラン４１１のサービス領域を離れようとするのかを確認する。
【００５２】
もし、端末４００が無線ラン４１１のサービス領域を離れようとすると判断されると、無線ランＭＡＣ４０５は、適応ネットワーク部４０３にリンク性能低下信号（Link_Going_Down.indication）を伝送する（ステップ４３３）。ここで、無線ランＭＡＣ４０５は、無線ラン４１１から受信される信号の強度が既設定の基準値より低い場合、端末４００が無線ラン４１１のサービス領域を離れようとすると判断する。
【００５３】
適応ネットワーク部４０３は、前記リンク性能低下信号が受信されると、異種網間ハンドオーバ制御部４０１に、異種網間ハンドオーバリンク性能低下信号（Link_going_Down.indication）を伝送する（ステップ４３５）。
【００５４】
異種網間ハンドオーバ制御部４０１は、前記異種網間ハンドオーバリンク性能低下信号が受信されると、情報サービスサーバ４１３から取得した隣のネットワークの情報を用いて、隣に広帯域移動通信網４１５が存在するかを確認する（ステップ４３７）。ここで、異種網間ハンドオーバ制御部４０１は、隣に広帯域移動通信網４１５が存在する場合、広帯域移動通信網４１５にハンドオーバを行うと仮定する。
【００５５】
もし、隣に広帯域移動通信網４１５が存在する場合、異種網間ハンドオーバ制御部４０１は、前記隣の広帯域移動通信網４１５の情報を得るために、適応ネットワーク部４０３に異種網間ハンドオーバスキャン要請信号（Scan.request）を伝送する（ステップ４３９）。
【００５６】
適応ネットワーク部４０３は、前記異種網間ハンドオーバスキャン要請信号が受信されると、広帯域移動通信網４１５の情報を取得するために、広帯域移動通信網ＭＡＣ４０７を活性化する。以降、適応ネットワーク部４０３は、活性化された広帯域移動通信網ＭＡＣ４０７にハンドオーバ要請信号（Ｃ＿ＨＯ＿ＲＥＱ）を伝送する（ステップ４４１）。
【００５７】
広帯域移動通信網ＭＡＣ４０７は、前記ハンドオーバ要請信号が受信されると、スキャンを通して前記隣の広帯域移動通信網４１５の放送信号を収集する（ステップ４４３）。ここで、前記放送信号は、ダウンリンクＭＡＰ、アップリンクＭＡＰ  ＤＣＤ（Downlink Channel Descriptor）、ＵＣＤ（Uplink Channel Descriptor）信号を含む。
【００５８】
次に、広帯域移動通信網ＭＡＣ４０７は、前記収集した隣の広帯域移動通信網４１５の放送信号を含むハンドオーバ応答信号（Ｃ＿ＨＯ＿ＲＳＰ）を適応ネットワーク部４０３に伝送する（ステップ４４５）。
【００５９】
適応ネットワーク部４０３は、前記ハンドオーバ応答信号が受信されると、異種網間ハンドオーバ制御部４０１に前記隣の広帯域移動通信網４１５の放送信号情報を含む異種網間ハンドオーバスキャン信号（Scan.response）を伝送する（ステップ４４７）。
【００６０】
図４Bは、本発明の実施形態による無線ラン網から広帯域移動通信網に異種網間ハンドオーバを行うための手順を示す図である。
【００６１】
図４Bを参照すると、異種網間ハンドオーバ制御部４０１は、広帯域移動通信網４１５で端末４００がハンドオーバするターゲット基地局（ＲＡＳ）を決定する。すなわち、異種網間ハンドオーバ制御部４０１は、図４Ａで適応ネットワーク部４０３から提供された異種網間ハンドオーバスキャン応答信号に含まれた前記隣の広帯域移動通信網４１５の放送信号情報を用いて、ターゲット基地局を決定する。
【００６２】
次に、異種網間ハンドオーバ制御部４０１は、前記ターゲット基地局情報を含む異種網間ハンドオーバスタート要請信号（Vertical Handover_Initiate.request）を適応ネットワーク部４０３に伝送する（ステップ４４９）。
【００６３】
適応ネットワーク部４０３は、前記異種網間ハンドオーバスタート要請信号が受信されると、端末４００の異種網間ハンドオーバを知らせるために、無線ラン４１１に異種網間ハンドオーバスタート要請信号（Vertical Handover_Initiate REQUEST FRAME ）を伝送する（ステップ４５１）。
【００６４】
無線ラン４１１は、前記異種網間ハンドオーバスタート要請信号が受信されると、端末４００がハンドオーバするためのターゲット基地局を確認する。以降、無線ラン４１１は、前記ターゲット基地局を含む広帯域移動通信網４１５に、異種網間ハンドオーバ準備要請信号（Vertical Handover_Prepare REQUEST FRAME）を伝送する（ステップ４５３）。
【００６５】
広帯域移動通信網４１５は、異種網間ハンドオーバ準備要請信号が受信されると、負荷量（load amount）に応じて、端末４００のハンドオーバを支援可能であるか判断する。以降、広帯域移動通信網４１５は、無線ラン４１１を介して、適応ネットワーク部４０３に端末４００のハンドオーバ支援可否を知らせる（ステップ４５５〜ステップ４５７）。例えば、広帯域移動通信網４１５は、無線ラン４１１に異種網間ハンドオーバ準備応答信号（Vertical Handover_Prepare RESPONSE FRAME）を伝送する（ステップ４５５）。以降、前記異種網間ハンドオーバ準備応答信号を受信した無線ラン４１１は、適応ネットワーク部４０３に異種網間ハンドオーバスタート応答信号（Vertical Handover_Initiate RESPONSE FRAME）を伝送する（ステップ４５７）。
【００６６】
適応ネットワーク部４０３は、無線ラン４１１から前記異種網間ハンドオーバスタート応答信号が受信されると、異種網間ハンドオーバ制御部４０１に異種網間ハンドオーバスタート応答信号（Vertical Handover_Initiate.response）を伝送する（ステップ４５９）。
【００６７】
異種網間ハンドオーバ制御部４０１は、適応ネットワーク部４０３から異種網間ハンドオーバスタート応答信号が受信されると、当該信号に含まれる広帯域移動通信網４１５のハンドオーバ支援可否を確認する（ステップ４６１）。
【００６８】
もし、広帯域移動通信網４１５にハンドオーバが可能である場合、異種網間ハンドオーバ制御部４０１は、適応ネットワーク部４０３に異種網間ハンドオーバスイッチ要請信号（Switch.request）を伝送する（ステップ４６３）。
【００６９】
適応ネットワーク部４０３は、前記異種網間ハンドオーバスイッチ要請信号が受信されると、広帯域移動通信網４１５との通信リンクを設定するために、広帯域移動通信網ＭＡＣ４０７にレンジング要請信号（Ｃ＿ＮＥＭ＿ＲＥＱ）を伝送する（ステップ４６５）。
【００７０】
広帯域移動通信網ＭＡＣ４０７は、前記レンジング要請信号が受信されると、広帯域移動通信網４１５とのレンジング（Ranging）を行う（ステップ４６７）。
【００７１】
広帯域移動通信網ＭＡＣ４０７は、広帯域移動通信網４１５とレンジングを行った後、前記レンジングの完了を知らせるために、適応ネットワーク部４０３にレンジング応答信号（Ｃ＿ＮＡＭ＿ＲＳＰ）を伝送する（ステップ４６９）。
【００７２】
前記レンジングを行った後、広帯域移動通信網ＭＡＣ４０７は、広帯域移動通信網４１５に対して端末４００が行える基本機能を交渉（Service Basic Capability）する（ステップ４７１）。
【００７３】
前記基本機能を交渉した後、端末４００は、広帯域移動通信網４１５との認証（Authentication）手順を行う（ステップ４７３）。
【００７４】
次に、適応ネットワーク部４０３は、端末４００を広帯域移動通信網４１５に登録するために、広帯域移動通信網ＭＡＣ４０７に登録要請信号（Ｍ＿ＮＥＭ＿ＲＥＱ）を伝送する（ステップ４７５）。
【００７５】
広帯域移動通信網ＭＡＣ４０７は、前記登録要請信号が受信されると、広帯域移動通信網４１５に端末４００の登録（Registration）手順を行う（ステップ４７７）。
【００７６】
広帯域移動通信網４１５に端末４００の登録が完了すると、広帯域移動通信網ＭＡＣ４０７は、適応ネットワーク部４０３にリンク連結指示信号（Link_Up indication）を伝送する（ステップ４７９）。すなわち、広帯域移動通信網ＭＡＣ４０７は、広帯域移動通信網４１５との通信リンク設定を知らせるために、適応ネットワーク部４０３にリンク連結指示信号（Link_Up indication）を伝送する（ステップ４７９）。
【００７７】
適応ネットワーク部４０３は、前記リンク連結指示信号が受信されると、異種網間ハンドオーバ制御部４０１に異種網間ハンドオーバリンク連結指示信号（Link_Up.indication）を伝送する（ステップ４８１）。
【００７８】
次に、端末４００は、ＤＨＣＰ（Dynamic Host Configuration Protocol）を介して前記ＤＨＣＰサーバからＩＰアドレスを獲得する（ステップ４８３）。
【００７９】
前記ＩＰアドレスを取得した後、端末４００は、広帯域移動通信網ＭＡＣ４０７を介して広帯域移動通信網４１５とのサービスフロー（Service Flow）を生成する（ステップ４８５）。
【００８０】
前記サービスフローが生成されると、広帯域移動通信網ＭＡＣ４０７は、適応ネットワーク部４０３にリンクハンドオーバ完了信号（Link_Handover_Complete indication）を伝送する（ステップ４８７）。
【００８１】
適応ネットワーク部４０３は、前記リンクハンドオーバ完了信号が受信されると、端末４００が広帯域移動通信網４１５に接続したことを知らせるために、異種網間ハンドオーバ制御部４０１に異種網間ハンドオーバスイッチ応答信号（Switch.response）を伝送する（ステップ４８９）。
【００８２】
端末４００が広帯域移動通信網４１５に接続されると、端末４００は、広帯域移動通信網４１５に前記取得したＩＰの登録（Registration）及びバインディング更新（Binding Update）を行う（ステップ４９１）。
【００８３】
前記バインディング更新を行った後、端末４００は、広帯域移動通信網ＭＡＣ４０７を介して広帯域移動通信網４１５とトラフィックを送受信する（ステップ４９３）。
【００８４】
端末４００が広帯域移動通信網４１５に異種網間ハンドオーバを行った後、無線ランＭＡＣ４０５は、無線ラン４１１との通信リンクを解除し、適応ネットワーク部４０３にリンク解除信号（Link_Down.indication）を伝送する（ステップ４９５）。
【００８５】
適応ネットワーク部４０３は、前記リンク解除信号が受信されると、無線ラン４１１とのリンク解除を知らせるために、異種網間ハンドオーバ制御部４０１に異種網間ハンドオーバリンク解除信号（Link_Down.indication）を伝送する（ステップ４９７）。
【００８６】
次に、広帯域移動通信網４１５からサービスを提供される端末４００は、図5Aのように、ハンドオーバを行うためのネットワークを選択する。さらに、端末４００は、図5Bのように、前記選択されたネットワークに異種網間ハンドオーバを行う。
【００８７】
図5Aは、本発明の実施形態による広帯域移動通信網からハンドオーバを行うための無線ラン網を確認するための手順を示す図である。
【００８８】
図5Aを参照すると、まず、端末５００は、広帯域移動通信網５１５を介してサービスを提供される（ステップ５２１）。すなわち、端末５００は、広帯域移動通信網５１５を介してトラフィックを送受信する。このとき、端末５００は、無線ラン５１１と通信するための無線ランＭＡＣ５０５を非活性化する。
【００８９】
もし、リンクパラメータ変更イベント（Link Parameter change event）が発生すると、広帯域移動通信網ＭＡＣ５０７は、適応ネットワーク部５０３にリンクパラメータ変更信号（Link Parameter_change.indication）を伝送する（ステップ５２３）。すなわち、リンクパラメータ変更イベントが発生すると、広帯域移動通信網ＭＡＣ５０７は、広帯域移動通信網５１５との無線リンク状態が良好でないと判断して、適応ネットワーク部５０３にリンクパラメータ変更信号を伝送する。
【００９０】
適応ネットワーク部５０３は、前記リンクパラメータ変更信号が受信されると、異種網間ハンドオーバ制御部５０１に異種網間ハンドオーバリンクパラメータ信号（Link Parameter Report.indication）を伝送する（ステップ５２５）。
【００９１】
異種網間ハンドオーバ制御部５０１は、前記異種網間ハンドオーバリンクパラメータ信号が受信されると、隣のネットワークの情報を検索するために、異種網間ハンドオーバ情報要請信号（Get_info.request）を適応ネットワーク部５０３に伝送する（ステップ５２７）。
【００９２】
前記適応ネットワーク部５０３は、前記異種網間ハンドオーバ情報要請信号が受信されると、情報サービスサーバ５１３から端末５００の隣のネットワークの情報を取得する（ステップ５２９）。例えば、適応ネットワーク部５０３は、端末５００の隣のネットワークの情報を取得するために、情報サービスサーバ５１３に異種網間ハンドオーバ情報要請フレーム（Get_information REQUEST FRAME）を伝送する。以降、前記情報サービスサーバ５１３は、前記異種網間ハンドオーバ情報要請フレームに応じて、端末５００の隣のネットワークの情報を含む異種網間ハンドオーバ情報応答フレーム（Get_information RESPONSE FRAME）を適応ネットワーク部５０３に伝送する。
【００９３】
前記適応ネットワーク部５０３は、前記取得した端末５００の隣のネットワークの情報を含む異種網間ハンドオーバ情報応答信号（Get_info.response）を、異種網間ハンドオーバ制御部５０１に伝送する（ステップ５３１）。
【００９４】
次に、広帯域移動通信網ＭＡＣ５０７は、広帯域移動通信網５１５から受信される信号の強度を測定して、端末５００が広帯域移動通信網５１５のサービス領域を離れようとするのかを確認する。
【００９５】
もし、端末５００が広帯域移動通信網５１５のサービス領域を離れようとすると判断されると、広帯域移動通信網ＭＡＣ５０７は、適応ネットワーク部５０３にリンク性能低下信号（Link_Going_Down.indication）を伝送する（ステップ５３３）。ここで、広帯域移動通信網ＭＡＣ５０７は、広帯域移動通信網５１５から受信される信号の強度が既設定の基準値より低い場合、端末５００が広帯域移動通信網５１５のサービス領域を離れようとすると判断する。
【００９６】
適応ネットワーク部５０３は、前記リンク性能低下信号が受信されると、異種網間ハンドオーバ制御部５０１に異種網間ハンドオーバリンク性能低下信号（Link_Going_Down.indication）を伝送する（ステップ５３５）。
【００９７】
異種網間ハンドオーバ制御部５０１は、前記異種網間ハンドオーバリンク性能低下信号が受信されると、情報サービスサーバ５１３から取得した隣のネットワークの情報を用いて、隣に無線ラン５１１が存在するかを確認する（ステップ５３７）。ここで、異種網間ハンドオーバ制御部５０１は、隣に無線ラン５１１が存在する場合、無線ラン５１１にハンドオーバを行うと仮定する。
【００９８】
もし、隣に無線ラン５１１が存在する場合、異種網間ハンドオーバ制御部５０１は、隣の無線ラン５１１の情報を得るために、適応ネットワーク部５０３に異種網間ハンドオーバスキャン要請信号（Scan.request）を伝送する（ステップ５３９）。
【００９９】
適応ネットワーク部５０３は、前記異種網間ハンドオーバスキャン要請信号が受信されると、前記無線ラン５１１の情報を取得するために、無線ランＭＡＣ５０５を活性化する。以降、適応ネットワーク部５０３は、活性化された無線ランＭＡＣ５０５にＭＬＭＥスキャン要請信号（MLME_Scan.request）を伝送する（ステップ５４１）。
【０１００】
無線ランＭＡＣ５０５は、適応ネットワーク部５０３から前記ＭＬＭＥスキャン要請信号が受信されると、スキャンを通して隣の無線ラン５１１の制御情報を取得する（ステップ５４３）。例えば、無線ランＭＡＣ５０５は、無線ラン５１１に対して制御情報要請信号（Probe.request）を伝送する。以降、無線ラン５１１は、前記制御情報要請信号が受信されると、端末５００が無線ラン５１１に接続できるように、制御情報を含む制御情報応答信号（Probe.response）を無線ランＭＡＣ５０５に伝送する。
【０１０１】
無線ランＭＡＣ５０５は、無線ラン５１１の制御情報を取得した後、適応ネットワーク部５０３に制御情報を含むＭＬＭＥスキャン応答信号（MLME_Scan.response）を伝送する（ステップ５４５）。
【０１０２】
適応ネットワーク部５０３は、前記ＭＬＭＥスキャン応答信号が受信されると、異種網間ハンドオーバ制御部５０１に前記制御情報を含む異種網間ハンドオーバスキャン応答信号（Scan.response）を伝送する（ステップ５４７）。
【０１０３】
図5Bは、本発明の実施形態による広帯域移動通信網から無線ラン網に異種網間ハンドオーバを行うための手順を示す図である。
【０１０４】
図5Bを参照すると、異種網間ハンドオーバ制御部５０１は、図5Aで適応ネットワーク部５０３から提供された異種網間ハンドオーバスキャン応答信号に含まれる隣の無線ラン５１１の制御情報を確認して、ターゲット基地局（ＡＰ）を決定する。以降、異種網間ハンドオーバ制御部５０１は、前記ターゲット基地局情報を含む異種網間ハンドオーバスタート要請信号（Vertical_Handover_Initiate.request）を適応ネットワーク部５０３に伝送する（ステップ５４９）。
【０１０５】
適応ネットワーク部５０３は、前記異種網間ハンドオーバスタート要請信号が受信されると、端末５００の異種網間ハンドオーバを知らせるために、広帯域移動通信網５１５に異種網間ハンドオーバスタート要請信号（Vertical_Handover_Initiate REQUEST FRAME）を伝送する（ステップ５５１）。
【０１０６】
広帯域移動通信網５１５は、前記異種網間ハンドオーバスタート要請信号が受信されると、端末５００がハンドオーバするためのターゲット基地局を確認する。以降、広帯域移動通信網５１５は、前記ターゲット基地局を含む無線ラン５１１に異種網間ハンドオーバ準備要請信号（Vertical_Handover_Prepare REQUEST FRAME）を伝送する（ステップ５５３）。
【０１０７】
無線ラン５１１は、異種網間ハンドオーバ準備要請信号が受信されると、負荷量（load amount）に応じて、端末５００のハンドオーバを支援可能であるか判断する。以降、無線ラン５１１は、広帯域移動通信網５１５を介して適応ネットワーク部５０３に端末５００のハンドオーバ支援可否を知らせる（ステップ５５５〜ステップ５５７）。例えば、無線ラン５１１は、広帯域移動通信網５１５に異種網間ハンドオーバ準備応答信号（Vertical_Handover_Prepare RESPONSE FRAME）を伝送する（ステップ５５５）。以降、前記異種網間ハンドオーバ準備応答信号を受信した広帯域移動通信網５１５は、適応ネットワーク部５０３に異種網間ハンドオーバスタート応答信号（Vertical_Handover Initiate RESPONSE FRAME）を伝送する（ステップ５５７）。
【０１０８】
適応ネットワーク部５０３は、広帯域移動通信網５１５から前記異種網間ハンドオーバスタート応答信号が受信されると、異種網間ハンドオーバ制御部５０１に異種網間ハンドオーバスタート応答信号（Vertical_Handover_Initiate.response）を伝送する（ステップ５５９）。
【０１０９】
異種網間ハンドオーバ制御部５０１は、適応ネットワーク部５０３から異種網間ハンドオーバスタート応答信号が受信されると、当該信号で無線ラン５１１にハンドオーバが可能であるかを確認する（ステップ５６１）。
【０１１０】
もし、無線ラン５１１にハンドオーバが可能である場合、異種網間ハンドオーバ制御部５０１は、端末５００の異種網間ハンドオーバを行うために、適応ネットワーク部５０３に異種網間ハンドオーバスイッチ要請信号（Switch.request）を伝送する（ステップ５６３）。
【０１１１】
適応ネットワーク部５０３は、前記異種網間ハンドオーバスイッチ要請信号が受信されると、無線ラン５１１との通信リンクを設定するために、無線ランＭＡＣ５０５にＭＬＭＥ認証要請信号（MLME_Authenticate.request）を伝送する（ステップ５６５）。
【０１１２】
無線ランＭＡＣ５０５は、前記ＭＬＭＥ認証要請信号が受信されると、無線ラン５１１に端末５００の認証（Authencate.request）手順を行う（ステップ５６７）。すなわち、無線ランＭＡＣ５０５は、端末５００の認証を行うために、無線ラン５１１に認証要請信号（Authencate.request）を伝送する。以降、無線ラン５１１は、前記認証要請信号が受信されると、端末５００の認証手順を行って、無線ランＭＡＣ５０５に認証応答信号（Authencate.response）を伝送する。
【０１１３】
無線ランＭＡＣ５０５は、無線ラン５１５で端末５００が認証されると、端末５００の認証を知らせるために、適応ネットワーク部５０３にＭＬＭＥ認証応答信号（MLME_Authenticate.confirmation）を伝送する（ステップ５６９）。
【０１１４】
前記認証を行った後、適応ネットワーク部５０３は、端末５０３を無線ラン５１１に登録するために、無線ランＭＡＣ５０５に登録要請信号（MLME_Associate.request）を伝送する（ステップ５７１）。
【０１１５】
無線ランＭＡＣ５０５は、前記登録要請信号が受信されると、無線ラン５１１に端末５００の登録を行う（ステップ５７３）。すなわち、無線ランＭＡＣ５０５は、端末５００の登録を行うために、無線ラン５１１に登録要請信号（Associate.request）を伝送する。以降、無線ラン５１１は、前記登録要請信号が受信されると、端末５００の登録手順を行って、無線ランＭＡＣ５０５に登録応答信号（Assocate.response）を伝送する。
【０１１６】
無線ランＭＡＣ５０５は、無線ラン５１１に端末５００が登録されると、端末５００の登録を知らせるために、適応ネットワーク部５０３に登録応答信号（MLME_Associate.confirmation）を伝送する（ステップ５７５）。
【０１１７】
無線ランＭＡＣ５０５は、無線ラン５１１に端末５００の登録が完了すると、無線ラン５１１との通信リンクが設定されることを知らせるために、適応ネットワーク部５０３にリンク連結指示信号（Link_Up indication）を伝送する（ステップ５７７）。
【０１１８】
適応ネットワーク部５０３は、前記リンク連結指示信号が受信されると、異種網間ハンドオーバ制御部５０１に異種網間ハンドオーバリンク連結指示信号（Link_Up.indication）を伝送する（ステップ５７９）。
【０１１９】
以降、端末５００は、ＤＨＣＰ（Dynamic Host Cofiguration Protocol）を介してＤＨＣＰサーバからＩＰアドレスを取得する（ステップ５８１）。
【０１２０】
前記ＩＰアドレスを取得した後、無線ランＭＡＣ５０５は、適応ネットワーク部５０３にリンクハンドオーバ完了信号（Link_Handover_Complete indication）を伝送する（ステップ５８３）。
【０１２１】
適応ネットワーク部５０３は、前記リンクハンドオーバ完了信号が受信されると、端末５００が無線ラン５１１に接続したことを知らせるために、異種網間ハンドオーバ制御部５０１に異種網間ハンドオーバスイッチ応答信号（Switch.response）を伝送する（ステップ５８５）。
【０１２２】
端末５００が無線ラン５１１に接続したら、端末５００は無線ラン５１１に前記取得したＩＰの登録（Registration）及びバインディング更新（Binding Update）を行う（ステップ５８７）。
【０１２３】
前記バインディング更新を行った後、端末５００は、無線ランＭＡＣ５０５を介して無線ラン５１１とトラフィックを送受信する（ステップ５８９）。
【０１２４】
端末５００が無線ラン５１１に異種網間ハンドオーバを行った後、広帯域移動通信網ＭＡＣ５０７は、広帯域移動通信網５１５との通信リンクを解除し、適応ネットワーク部５０３にリンク解除信号（Link_Down.indication）を伝送する（ステップ５９１）。
【０１２５】
適応ネットワーク部５０３は、前記リンク解除信号が受信されると、広帯域移動通信網５１５とのリンク解除を知らせるために、異種網間ハンドオーバ制御部５０１に異種網間ハンドオーバリンク解除信号（Link_Down.indication）を伝送する（ステップ５９３）。
【０１２６】
上述のように、本実施形態の無線通信システムで端末の異種網間ハンドオーバを支援する場合、前記端末の適応ネットワーク部と各ＭＡＣインタフェース間には、それぞれのＭＡＣインタフェースによって定義された媒体依存サービスアクセスポイント（Media Dependent Service Access Point）が存在する。したがって、前記適応ネットワーク部は、前記媒体依存サービスアクセスポイントによって、それぞれのＭＡＣタイプによって定義された信号を用いて、それぞれのＭＡＣインタフェースとの通信を行う。例えば、前記適応ネットワーク部は、無線ランＭＡＣと適応ネットワーク部との間では、ＩＥＥＥ８０２．１１標準のＭＬＭＥ  ＳＡＰに定義されたタイプの信号を使用する。また、前記適応ネットワーク部は、広帯域移動通信網ＭＡＣと適応ネットワーク部との間では、ＩＥＥＥ８０２．１６標準のＣ＿ＳＡＰ Primitivesに定義されたタイプの信号を使用する。
【０１２７】
前記媒体依存サービスアクセスポイントは、端末内部で上位階層（例：異種網間ハンドオーバ制御部、適応ネットワーク部）の制御によって、ＭＡＣインタフェースとのリンク連結（Link up）のための信号を提供する。例えば、図５における適応ネットワーク部４０３は、異種網間ハンドオーバ制御部４０１から異種網間ハンドオーバスイッチ信号が受信されると、広帯域移動通信網の媒体依存サービスアクセスポイントを介して広帯域移動通信網ＭＡＣ４０７にリンク連結を行う。
【０１２８】
上述のように、本実施形態の無線通信システムで、端末はそれぞれのＭＡＣインタフェースに定義された媒体依存サービスアクセスポイントを使用する。しかし、前記媒体依存サービスアクセスポイントは、端末内部で動作を行うので、前記ＭＡＣインタフェース別に定義された媒体依存サービスアクセスポイントの代わりに、下記の表１と表２に定義された共用媒体依存サービスアクセスポイント（ＣＭＤ  ＳＡＰ：Common Media Dependent SAP）を使用することもできる。
【０１２９】
【表１】
2008104192.tif 000003
【０１３０】
表１のように、前記広帯域移動通信網と無線ランの標準に定義された媒体依存サービスアクセスポイントは、共用媒体依存サービスアクセスポイントと定義することができる。
【０１３１】
ここで、前記共用媒体依存サービスアクセスポイントの各フィールドは、下記の表２のように定義される。
【０１３２】
【表２】
2008104192.tif 000004
【０１３３】
表１と表２に示すように、図４〜図７で異種網間ハンドオーバスキャンのために使用されるハンドオーバ要請／応答信号（Ｃ−ＨＯ−ＲＥＱ／ＲＳＰ）とＭＬＭＥスキャン要請／応答信号（MLME-Scan-Request/Confirm）を、前記共用媒体依存サービスアクセスポイントでは共用スキャン要請／応答信号（ＣＭＤ−ＳＣＡＮ−ＲＥＱ／ＲＳＰ）に代替して使用する。また、図４〜図７で異種網間ハンドオーバスイッチのための信号は、前記共用媒体依存サービスアクセスポイントでは共用リンク連結要請／応答信号（CMD-Link-Up-REQ/RSP）に代替して使用する。ここで、前記共用リンク連結要請／応答信号は、前記広帯域移動通信網ＭＡＣと無線ランＭＡＣとで互換して使用することができる。
【０１３４】
以下、本実施形態による無線通信システムで前記共用媒体依存サービスアクセスポイントを用いて異種網間ハンドオーバを行うための手順について説明する。
【０１３５】
まず、無線ラン網でサービスを提供される端末は、図６Ａ及び図６Ｂに示すように、広帯域移動通信網にハンドオーバを行う。このとき、図６Ａは、ハンドオーバを行うためのネットワークを選択する手順を示す。また、図６Ｂは、前記選択されたネットワークにハンドオーバを行う手順を示す。
【０１３６】
図6Aは、本発明の他の実施形態による無線ラン網からハンドオーバを行うための広帯域移動通信網を確認するための手順を示す図である。
【０１３７】
図6Aを参照すると、まず、端末６００は、無線ラン６１１を介してサービスを提供される（ステップ６２１）。すなわち、端末６００は、無線ラン６１１を介してトラフィックを送受信する。このとき、端末６００は、広帯域移動通信網６１５と通信するための広帯域移動通信網ＭＡＣ６０７を非活性化する。
【０１３８】
もし、リンクパラメータ変更イベント（Link Parameter change event）が発生すると、無線ランＭＡＣ６０５は適応ネットワーク部６０３にリンクパラメータ変更信号（Link Parameter_change.indication）を伝送する（ステップ６２３）。すなわち、リンクパラメータ変更イベントが発生すると、無線ランＭＡＣ６０５は無線ラン６１１との無線リンク状態が良好でないと判断し、適応ネットワーク部６０３にリンクパラメータ変更信号を伝送する。
【０１３９】
適応ネットワーク部６０３は、前記リンクパラメータ変更信号が受信されると、異種網間ハンドオーバ制御部６０１に異種網間ハンドオーバリンクパラメータ信号（Link Parameter Report.indication）を伝送する（ステップ６２５）。
【０１４０】
異種網間ハンドオーバ制御部６０１は、前記異種網間ハンドオーバリンクパラメータ信号が受信されると、隣のネットワークの情報を検索するために、適応ネットワーク部６０３に異種網間ハンドオーバ情報要請信号（Get_info.request）を伝送する（ステップ６２７）。
【０１４１】
適応ネットワーク部６０３は、前記異種網間ハンドオーバ情報要請信号が受信されると、情報サービスサーバ６１３から端末６００の隣のネットワークの情報を取得する（ステップ６２９）。例えば、適応ネットワーク部６０３は、隣のネットワークの情報を取得するために、情報サービスサーバ６１３に異種網間ハンドオーバ情報要請フレーム（Get_information REQUEST FRAME）を伝送する。以降、情報サービスサーバ６１３は、前記異種網間ハンドオーバ情報要請フレームに応じて、端末６００の隣のネットワークの情報を含む異種網間ハンドオーバ情報応答フレーム（Get_information RESPONSE FRAME）を適応ネットワーク部６０３に伝送する。
【０１４２】
適応ネットワーク部６０３は、前記取得した端末６００の隣のネットワークの情報を含む異種網間ハンドオーバ情報応答信号（Get_info.response）を、異種網間ハンドオーバ制御部６０１に伝送する（ステップ６３１）。
【０１４３】
次に、無線ランＭＡＣ６０５は、無線ラン６１１から受信される信号の強度を測定して、端末６００が無線ラン６１１のサービス領域を離れようとするのかを確認する。
【０１４４】
もし、端末６００が無線ラン６１１のサービス領域を離れようとすると判断されると、無線ランＭＡＣ６０５は、適応ネットワーク部６０３にリンク性能低下信号（Link_Going_Down.indication）を伝送する（ステップ６３３）。ここで、無線ランＭＡＣ６０５は、無線ラン６１１から受信される信号の強度が既設定の基準値より低い場合、端末６００が無線ラン６１１のサービス領域を離れようとすると判断する。
【０１４５】
適応ネットワーク部６０３は、前記リンク性能低下信号が受信されると、異種網間ハンドオーバ制御部６０１に、異種網間ハンドオーバリンク性能低下信号（Link_Going_Down.indication）を伝送する（ステップ６３５）。
【０１４６】
異種網間ハンドオーバ制御部６０１は、前記異種網間ハンドオーバリンク性能低下信号が受信されると、情報サービスサーバ６１３から取得した隣のネットワークの情報を用いて、隣に広帯域移動通信網６１５が存在するかを確認する（ステップ６３７）。ここで、異種網間ハンドオーバ制御部６０１は、隣に広帯域移動通信網６１５が存在する場合、広帯域移動通信網６１５にハンドオーバを行うと仮定する。
【０１４７】
もし、隣に広帯域移動通信網６１５が存在する場合、異種網間ハンドオーバ制御部６０１は、広帯域移動通信網６１５の情報を得るために、適応ネットワーク部６０３に異種網間ハンドオーバスキャン要請信号（Scan.request）を伝送する（ステップ６３９）。
【０１４８】
適応ネットワーク部６０３は、前記異種網間ハンドオーバスキャン要請信号が受信されると、広帯域移動通信網６１５と通信するために、広帯域移動通信網ＭＡＣ６０７を活性化する。以降、適応ネットワーク部６０３は、広帯域移動通信網６１５の情報を取得するために、広帯域移動通信網ＭＡＣ６０７に共用スキャン要請信号（CMD_SCAN_REQ）を伝送する（ステップ６４１）。
【０１４９】
広帯域移動通信網ＭＡＣ６０７は、適応ネットワーク部６０３から共用スキャン要請信号が受信されると、スキャンを通して広帯域移動通信網６１５の放送信号を収集する（ステップ６４３）。ここで、前記放送信号は、ダウンリンクＭＡＰ、アップリンクＭＡＰ  ＤＣＤ（Downlink Channel Descriptor）、ＵＣＤ（Uplink Channel Descriptor）信号を含む。
【０１５０】
広帯域移動通信網ＭＡＣ６０７は、前記収集した広帯域移動通信網６１５の放送信号を含む共用スキャン応答信号（CMD_SCAN_RSP）を適応ネットワーク部６０３に伝送する（ステップ６４５）。
【０１５１】
適応ネットワーク部６０３は、前記共用スキャン応答信号が受信されると、異種網間ハンドオーバ制御部６０１に前記隣の広帯域移動通信網６１５の放送信号情報を含む異種網間ハンドオーバスキャン応答信号（Scan.response）を伝送する（ステップ６４７）。
【０１５２】
図6Bは、本発明の他の実施形態による無線ラン網から広帯域移動通信網に異種網間ハンドオーバを行うための手順を示す図である。
【０１５３】
図6Bを参照すると、異種網間ハンドオーバ制御部６０１は、図6Aで適応ネットワーク部６０３から提供された異種網間ハンドオーバスキャン応答信号に含まれる前記隣の広帯域移動通信網６１５の放送信号情報を確認して、ターゲット基地局（ＲＡＳ）を決定する。以降、異種網間ハンドオーバ制御部６０１は、前記ターゲット基地局情報を含む異種網間ハンドオーバスタート要請信号（Vertical_Handover_Initiate.request）を適応ネットワーク部６０３に伝送する（ステップ６４９）。
【０１５４】
適応ネットワーク部６０３は、前記異種網間ハンドオーバスタート要請信号が受信されると、端末６００の異種網間ハンドオーバを知らせるために、無線ラン６１１に異種網間ハンドオーバスタート要請信号（Vertical_Handover_Initiate REQUEST FRAME ）を伝送する（ステップ６５１）。
【０１５５】
無線ラン６１１は、前記異種網間ハンドオーバスタート要請信号が受信されると、端末６００がハンドオーバするためのターゲット基地局を確認する。以降、無線ラン６１１は、前記ターゲット基地局を含む広帯域移動通信網６１５に、異種網間ハンドオーバ準備要請信号（Vertical_Handover_Prepare REQUEST FRAME）を伝送する（ステップ６５３）。
【０１５６】
広帯域移動通信網６１５は、異種網間ハンドオーバ準備要請信号が受信されると、負荷量（load amount）に応じて、端末６００のハンドオーバを支援可能であるか判断する。以降、広帯域移動通信網６１５は、無線ラン６１１を介して、適応ネットワーク部６０３に端末６００のハンドオーバ支援可否を知らせる（ステップ６５５〜ステップ６５７）。例えば、広帯域移動通信網６１５は、無線ラン６１１に異種網間ハンドオーバ準備応答信号（Vertical_Handover_Prepare RESPONSE FRAME）を伝送する（ステップ６５５）。以降、前記異種網間ハンドオーバ準備応答信号を受信した無線ラン６１１は、適応ネットワーク部６０３に異種網間ハンドオーバスタート応答信号（Vertical_Handover_Initiate RESPONSE FRAME）を伝送する（ステップ６５７）。
【０１５７】
適応ネットワーク部６０３は、無線ラン６１１から前記異種網間ハンドオーバスタート応答信号が受信されると、異種網間ハンドオーバ制御部６０１に異種網間ハンドオーバスタート応答信号（Vertical_Handover_Initiate.response）を伝送する（ステップ６５９）。
【０１５８】
異種網間ハンドオーバ制御部６０１は、適応ネットワーク部６０３から異種網間ハンドオーバスタート応答信号が受信されると、当該信号で広帯域移動通信網６１５にハンドオーバが可能であるかを確認する（ステップ６６１）。
【０１５９】
もし、広帯域移動通信網６１５にハンドオーバが可能である場合、異種網間ハンドオーバ制御部６０１は、端末６００の異種網間ハンドオーバを行うために、適応ネットワーク部６０３に異種網間ハンドオーバスイッチ要請信号（Switch.request）を伝送する（ステップ６６３）。
【０１６０】
適応ネットワーク部６０３は、前記異種網間ハンドオーバスイッチ要請信号が受信されると、広帯域移動通信網６１５との通信リンクを設定するために、広帯域移動通信網ＭＡＣ６０７に共用リンク連結要請信号（CMD_Link_Up_REQ）を伝送する（ステップ６６５）。
【０１６１】
広帯域移動通信網ＭＡＣ６０７は、前記共用リンク連結要請信号が受信されると、前記取得した広帯域移動通信網６１５の制御情報を用いて、広帯域移動通信網６１５とのレンジング（Ranging）を行う（ステップ６６７）。
【０１６２】
前記レンジングを行った後、広帯域移動通信網ＭＡＣ６０７は、広帯域移動通信網６１５に対して端末６００が行える基本機能を交渉（Service Basic Capability）する（ステップ６６９）。
【０１６３】
広帯域移動通信網６１５と基本機能を交渉した後、端末６００は、広帯域移動通信網６１５との認証（Authentication）手順を行う（ステップ６７１）。
【０１６４】
次に、端末６００は、広帯域移動通信網ＭＡＣ６０７を用いて、広帯域移動通信網６１５に登録（Registration）を行う（ステップ６７３）。
【０１６５】
広帯域移動通信網６１５に端末６００が登録されると、広帯域移動通信網ＭＡＣ６０７は、広帯域移動通信網６１５との通信リンク設定を知らせるために、適応ネットワーク部６０３に共用リンク連結応答信号（CMD_Link_Up RSP）を伝送する（ステップ６７５）。
【０１６６】
適応ネットワーク部６０３は、前記共用リンク連結応答信号が受信されると、異種網間ハンドオーバ制御部６０１に異種網間ハンドオーバリンク連結指示信号（Link_Up.indication）を伝送する（ステップ６７７）。
【０１６７】
次に、端末６００は、ＤＨＣＰ（Dynamic Host Configuration Protocol）を介してＤＨＣＰサーバからＩＰアドレスを取得する（ステップ６７９）。
【０１６８】
前記ＩＰアドレスを取得した後、端末６００は、広帯域移動通信網ＭＡＣ６０７を介して広帯域移動通信網６１５とのサービスフロー（Service Flow）を生成する（ステップ６８１）。
【０１６９】
前記サービスフローが生成されると、広帯域移動通信網ＭＡＣ６０７は、適応ネットワーク部６０３にリンクハンドオーバ完了信号（Link_Handover_Complete indication）を伝送する（ステップ６８３）。
【０１７０】
適応ネットワーク部６０３は、前記リンクハンドオーバ完了信号が受信されると、端末６００が広帯域移動通信網６１５に接続されたことを知らせるために、異種網間ハンドオーバ制御部６０１に異種網間ハンドオーバスイッチ応答信号（Switch.response）を伝送する（ステップ６８５）。
【０１７１】
端末６００が広帯域移動通信網６１５に接続されると、端末６００は、広帯域移動通信網６１５に前記取得したＩＰの登録（Registration）及びバインディング更新（Binding Update）を行う（ステップ６８７）。
【０１７２】
前記バインディング更新を行った後、端末６００は、広帯域移動通信網ＭＡＣ６０７を介して広帯域移動通信網６１５とトラフィックを送受信する（ステップ６８９）。
【０１７３】
端末６００が広帯域移動通信網６１５に異種網間ハンドオーバを行った後、無線ランＭＡＣ６０５は、無線ラン６１１との通信リンクを解除し、適応ネットワーク部６０３にリンク解除信号（Link_Down.indication）を伝送する（ステップ６９１）。
【０１７４】
適応ネットワーク部６０３は、前記リンク解除信号が受信されると、無線ラン６１１とのリンク解除を知らせるために、異種網間ハンドオーバ制御部６０１に異種網間ハンドオーバリンク解除信号（Link_Down.indication）を伝送する（ステップ６９３）。
【０１７５】
次に、広帯域移動通信網６１５からサービスを提供される端末６００は、図７Ａ及び図７Ｂに示すように、無線ラン６１１にハンドオーバを行う。このとき、図７Ａは、ハンドオーバを行うためのネットワークを選択する手順を示す。また、図７Ｂは、前記選択されたネットワークにハンドオーバを行う手順を示す。
【０１７６】
図7Aは、本発明の他の実施形態による広帯域移動通信網からハンドオーバを行うための無線ラン網を確認するための手順を示す図である。
【０１７７】
図7Aを参照すると、まず、端末７００は、広帯域移動通信網７１５を介してサービスを提供される（ステップ７２１）。すなわち、端末７００は、広帯域移動通信網７１５を介してトラフィックを送受信する。このとき、端末７００は、無線ラン７１１と通信するための無線ランＭＡＣ７０５を非活性化する。
【０１７８】
もし、リンクパラメータ変更イベント（Link Parameter change event）が発生すると、広帯域移動通信網ＭＡＣ７０７は、適応ネットワーク部７０３にリンクパラメータ変更信号（Link Parameter_change.indication）を伝送する（ステップ７２３）。すなわち、広帯域移動通信網ＭＡＣ７０７は、リンクパラメータ変更イベントが発生すると、広帯域移動通信網７１５との無線リンク状態が良好でないと判断して、適応ネットワーク部７０３にリンクパラメータ変更信号を伝送する。
【０１７９】
適応ネットワーク部７０３は、前記パラメータ変更信号が受信されると、異種網間ハンドオーバ制御部７０１に異種網間ハンドオーバリンクパラメータ信号（Link Parameter Report.indication）を伝送する（ステップ７２５）。
【０１８０】
異種網間ハンドオーバ制御部７０１は、前記異種網間ハンドオーバリンクパラメータ信号が受信されると、情報サービスサーバ７１３から隣のネットワークの情報を検索するために、適応ネットワーク部７０３に異種網間ハンドオーバ情報要請信号（Get_info.request）を伝送する（ステップ７２７）。
【０１８１】
適応ネットワーク部７０３は、前記異種網間ハンドオーバ情報要請信号が受信されると、情報サービスサーバ７１３から端末７００の隣のネットワークの情報を取得する（ステップ７２９）。例えば、適応ネットワーク部７０３は、端末７００の隣のネットワークの情報を取得するために、情報サービスサーバ７１３に異種網間ハンドオーバ情報要請フレーム（Get_information REQUEST FRAME）を伝送する。以降、情報サービスサーバ７１３は、前記異種網間ハンドオーバ情報要請フレームに応じて、端末７００の隣のネットワークの情報を含む異種網間ハンドオーバ情報応答フレーム（Get_information RESPONSE FRAME）を適応ネットワーク部７０３に伝送する。
【０１８２】
適応ネットワーク部７０３は、前記取得した端末７００の隣のネットワークの情報を含む異種網間ハンドオーバ情報応答信号（Get_info.response）を異種網間ハンドオーバ制御部７０１に伝送する（ステップ７３１）。
【０１８３】
次に、広帯域移動通信網ＭＡＣ７０７は、広帯域移動通信網７１５から受信される信号の強度を測定して、端末７００が広帯域移動通信網７１５のサービス領域を離れようとするのかを確認する。
【０１８４】
もし、端末７００が広帯域移動通信網７１５のサービス領域を離れようとすると判断されると、広帯域移動通信網ＭＡＣ７０７は、適応ネットワーク部７０３にリンク性能低下信号（Link_Going_Down.indication）を伝送する（ステップ７３３）。ここで、広帯域移動通信網ＭＡＣ７０７は、広帯域移動通信網７１５から受信される信号の強度が既設定の基準値より低い場合、端末７００が広帯域移動通信網７１１のサービス領域を離れようとすると判断する。
【０１８５】
適応ネットワーク部７０３は、前記リンク性能低下信号が受信されると、異種網間ハンドオーバ制御部７０１に異種網間ハンドオーバリンク性能低下信号（Link_Going_Down.indication）を伝送する（ステップ７３５）。
【０１８６】
異種網間ハンドオーバ制御部７０１は、前記異種網間ハンドオーバリンク性能低下信号が受信されると、情報サービスサーバ７１３から取得した隣のネットワークの情報を用いて、隣に無線ラン７１１が存在するかを確認する（ステップ７３７）。ここで、異種網間ハンドオーバ制御部７０１は、隣に無線ラン７１１が存在する場合、無線ラン７１１にハンドオーバを行うと仮定する。
【０１８７】
もし、隣に無線ラン７１１が存在する場合、異種網間ハンドオーバ制御部７０１は、無線ラン７１１の情報を得るために、適応ネットワーク部７０３に異種網間ハンドオーバスキャン要請信号（Scan.request）を伝送する（ステップ７３９）。
【０１８８】
適応ネットワーク部７０３は、前記異種網間ハンドオーバスキャン要請信号が受信されると、無線ラン７１１と通信するために、無線ランＭＡＣ７０５を活性化する。以降、適応ネットワーク部７０３は、無線ランＭＡＣ７０５に共用スキャン要請信号（CMD_SCAN_REQ）を伝送する（ステップ７４１）。
【０１８９】
無線ランＭＡＣ７０５は、適応ネットワーク部７０３から共用スキャン要請信号が受信されると、スキャンを通して前記隣の無線ラン７１１の制御情報を取得する（ステップ７４３）。例えば、無線ランＭＡＣ７０５は、隣の無線ラン７１１の制御情報を取得するために、無線ラン７１１に制御情報要請信号（Probe.request）を伝送する。以降、無線ラン７１１は、前記制御情報要請信号が受信されると、端末７００が無線ラン７１１に接続できるように、制御情報を含む制御情報応答信号（Probe.response）を無線ランＭＡＣ７０５に伝送する。
【０１９０】
無線ランＭＡＣ７０５は、前記取得した無線ラン７１１の制御情報を含む共用スキャン応答信号（CMD_SCAN_RSP）を適応ネットワーク部７０３に伝送する（ステップ７４５）。
【０１９１】
適応ネットワーク部７０３は、前記共用スキャン応答信号が受信されると、異種網間ハンドオーバ制御部７０１に前記隣の無線ラン７１１の制御情報を含む異種網間ハンドオーバスキャン応答信号（Scan.response）を伝送する（ステップ７４７）。
【０１９２】
図7Bは、本発明の他の実施形態による広帯域移動通信網から無線ラン網に異種網間ハンドオーバを行うための手順を示す図である。
【０１９３】
図7Bを参照すると、異種網間ハンドオーバ制御部７０１は、図7Aで適応ネットワーク部７０３から提供された異種網間ハンドオーバスキャン応答信号に含まれる隣の無線ラン７１１の制御信号情報を確認して、ターゲット基地局（ＡＰ）を決定する。以降、異種網間ハンドオーバ制御部７０１は、ターゲット基地局情報を含む異種網間ハンドオーバスタート要請信号（Vertical_Handover_Initiate.request）を適応ネットワーク部７０３に伝送する（ステップ７４９）。
【０１９４】
適応ネットワーク部７０３は、前記異種網間ハンドオーバスタート要請信号が受信されると、端末７００の異種網間ハンドオーバを知らせるために、広帯域移動通信網７１５に異種網間ハンドオーバスタート要請信号（Vertical_Handover_Initiate REQUEST FRAME）を伝送する（ステップ７５１）。
【０１９５】
広帯域移動通信網７１５は、前記異種網間ハンドオーバスタート要請信号が受信されると、端末７００がハンドオーバするためのターゲット基地局を確認する。以降、広帯域移動通信網７１５は、前記ターゲット基地局を含む無線ラン７１１に異種網間ハンドオーバ準備要請信号（Vertical_Handover_Prepare REQUEST FRAME）を伝送する（ステップ７５３）。
【０１９６】
無線ラン７１１は、異種網間ハンドオーバ準備要請信号が受信されると、負荷量（load amount）に応じて、端末７００のハンドオーバを支援可能であるかを判断する。以降、無線ラン７１１は、広帯域移動通信網７１５を介して適応ネットワーク部７０３に端末７００のハンドオーバ支援可否を知らせる（ステップ７５５〜ステップ７５７）。例えば、無線ラン７１１は、広帯域移動通信網７１５に異種網間ハンドオーバ準備応答信号（Vertical_Handover_Prepare RESPONSE FRAME）を伝送する（ステップ７５５）。以降、異種網間ハンドオーバ準備応答信号を受信した広帯域移動通信網７１５は、適応ネットワーク部７０３に異種網間ハンドオーバスタート応答信号（Vertical_Handover Initiate RESPONSE FRAME）を伝送する（ステップ７５７）。
【０１９７】
適応ネットワーク部７０３は、広帯域移動通信網７１５から前記異種網間ハンドオーバスタート応答信号が受信されると、異種網間ハンドオーバ制御部７０１に異種網間ハンドオーバスタート応答信号（Vertical_Handover_Initiate.response）を伝送する（ステップ７５９）。
【０１９８】
異種網間ハンドオーバ制御部７０１は、適応ネットワーク部７０３から異種網間ハンドオーバスタート応答信号が受信されると、当該信号で無線ラン７１１にハンドオーバが可能であるかを確認する（ステップ７６１）。
【０１９９】
もし、無線ラン７１１にハンドオーバが可能である場合、異種網間ハンドオーバ制御部７０１は、端末７００の異種網間ハンドオーバを行うために、適応ネットワーク部７０３に異種網間ハンドオーバスイッチ要請信号（Switch.request）を伝送する（ステップ７６３）。
【０２００】
適応ネットワーク部７０３は、前記異種網間ハンドオーバスイッチ要請信号が受信されると、無線ラン７１１との通信リンクを設定するために、無線ランＭＡＣ７０５に共用リンク連結要請信号（CMD_Link_Up_REQ）を伝送する（ステップ７６５）。
【０２０１】
無線ランＭＡＣ７０５は、前記共用リンク連結要請信号が受信されると、無線ラン７１１の制御情報を用いて、無線ラン７１１で端末７００の認証（Authencate.request）手順を行う（ステップ７６７）。すなわち、無線ランＭＡＣ７０５は、端末７００の認証を行うために、無線ラン７１１に認証要請信号（Authencate.request）を伝送する。以降、無線ラン７１１は、前記認証要請信号が受信されると、端末７００の認証手順を行って、無線ランＭＡＣ７０５に認証応答信号（Authencate.response）を伝送する。
【０２０２】
端末７００の認証を行った後、無線ランＭＡＣ７０５は、無線ラン７１１に端末７００の登録を行う（ステップ７６９）。すなわち、無線ランＭＡＣ７０５は、端末７００の登録を行うために、無線ラン７１１に登録要請信号（Associate.request）を伝送する。以降、無線ラン７１１は、前記登録要請信号が受信されると、端末７００の登録手順を行って、無線ランＭＡＣ７０５に登録応答信号（Associate.response）を伝送する。
【０２０３】
無線ランＭＡＣ７０５は、無線ラン７１１に端末７００が登録されると、端末７００の登録を知らせるために、適応ネットワーク部７０３に共用リンク連結応答信号（CMD_Link_Up_RSP）を伝送する（ステップ７７１）。
【０２０４】
次に、無線ランＭＡＣ７０５は、無線ラン７１１に端末７００の登録が完了すると、無線ラン７１１との通信リンクが設定されることを知らせるために、適応ネットワーク部７０３にリンク連結指示信号（Link_Up indication）を伝送する（ステップ７７３）。
【０２０５】
適応ネットワーク部７０３は、前記リンク連結指示信号が受信されると、異種網間ハンドオーバ制御部７０１に異種網間ハンドオーバリンク連結指示信号（Link_Up.indication）を伝送する（ステップ７７５）。
【０２０６】
次に、端末７００は、ＤＨＣＰ（Dynamic Host Cofiguration Protocol）を介してＤＨＣＰサーバからＩＰアドレスを取得する（ステップ７７７）。
【０２０７】
前記ＩＰアドレスを取得した後、無線ランＭＡＣ７０５は、適応ネットワーク部７０３にリンクハンドオーバ完了信号（Link_Handover_Complete indication）を伝送する（ステップ７７９）。
【０２０８】
適応ネットワーク部７０３は、前記リンクハンドオーバ完了信号が受信されると、端末７００が無線ラン７１１に接続したことを知らせるために、異種網間ハンドオーバ制御部７０１に異種網間ハンドオーバスイッチ応答信号（Switch.response）を伝送する（ステップ７８１）。
【０２０９】
端末７００が無線ラン７１１に接続されると、端末７００は無線ラン７１１に前記取得したＩＰの登録（Registration）及びバインディング更新（Binding Update）を行う（ステップ７８３）。
【０２１０】
前記バインディング更新を行った後、端末７００は、無線ランＭＡＣ７０５を介して無線ラン７１１とトラフィックを送受信する（ステップ７８５）。
【０２１１】
端末７００が無線ラン７１１に異種網間ハンドオーバを行った後、広帯域移動通信網ＭＡＣ７０７は、広帯域移動通信網７１５との通信リンクを解除し、適応ネットワーク部７０３にリンク解除信号（Link_Down.indication）を伝送する（ステップ７８７）。
【０２１２】
適応ネットワーク部７０３は、前記リンク解除信号が受信されると、広帯域移動通信網７１５とのリンク解除を知らせるために、異種網間ハンドオーバ制御部７０１に異種網間ハンドオーバリンク解除信号（Link_Down.indication）を伝送する（ステップ７８９）。
【０２１３】
なお、上述の実施形態による無線通信システムでは、端末はハンドオーバを行うネットワークとリンクを連結（Link Up）した後、サービスを提供されていたネットワークとのリンクを解除（Disconnection）した。これに限らず、端末はハンドオーバを行うネットワークとリンクを設定する前に、前記サービスを提供されていたネットワークとのリンクを解除することもできる。
【０２１４】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０２１５】
【図１】本発明の実施形態による異種網間ハンドオーバ技術を使用する無線通信システムの構成を示す図である。
【図２】本発明の実施形態による異種網間ハンドオーバを行うための端末のブロック構成を示す図である。
【図３】本発明の実施形態による異種網間ハンドオーバを行うための端末の動作手順を示す図である。
【図４Ａ】本発明の実施形態による無線ラン網からハンドオーバを行うための広帯域移動通信網を確認するための手順を示す図である。
【図４Ｂ】本発明の実施形態による無線ラン網から広帯域移動通信網に異種網間ハンドオーバを行うための手順を示す図である。
【図５Ａ】本発明の実施形態による広帯域移動通信網からハンドオーバを行うための無線ラン網を確認するための手順を示す図である。
【図５Ｂ】本発明の実施形態による広帯域移動通信網から無線ラン網に異種網間ハンドオーバを行うための手順を示す図である。
【図６Ａ】本発明の他の実施形態による無線ラン網からハンドオーバを行うための広帯域移動通信網を確認するための手順を示す図である。
【図６Ｂ】本発明の他の実施形態による無線ラン網から広帯域移動通信網に異種網間ハンドオーバを行うための手順を示す図である。
【図７Ａ】本発明の他の実施形態による広帯域移動通信網からハンドオーバを行うための無線ラン網を確認するための手順を示す図である。
【図７Ｂ】本発明の他の実施形態による広帯域移動通信網から無線ラン網に異種網間ハンドオーバを行うための手順を示す図である。
【図１】
2008104192.tif 000005
【図２】
2008104192.tif 000006
【図３】
2008104192.tif 000007
【図４Ａ】
2008104192.tif 000008
【図４Ｂ】
2008104192.tif 000009
【図５Ａ】
2008104192.tif 000010
【図５Ｂ】
2008104192.tif 000011
【図６Ａ】
2008104192.tif 000012
【図６Ｂ】
2008104192.tif 000013
【図７Ａ】
2008104192.tif 000014
【図７Ｂ】
2008104192.tif 000015